(57)【要約】【課題】  呼気を採取して送付する場合、的確に、且つ容易に終末呼気を採取することは、一般高齢者等には難しい。そこで、簡単に採取が可能な呼気採取バッグを提供する。【解決手段】  アルミニウム製の素材のバッグであって、本体部と１つの延長突出部があり、その延長突出部は開口部であり、該開口部に筒体が着脱自在に挿入されたものであって、該筒体は呼気を吹き込んだときに音を発する笛部を有するもの。【選択図】  図１
2019200153.tif 000002
【特許請求の範囲】
【請求項１】
アルミニウム製の素材のバッグであって、本体部と１つの延長突出部があり、その延長突出部は開口部であり、該開口部に筒体が着脱自在に挿入されたものであって、該筒体は呼気を吹き込んだときに音を発する笛部を有することを特徴とする呼気採取バッグ。
【請求項２】
該本体部は、長方形であり、その平面視のサイズは、縦１０〜２０ｃｍ、横１０〜２０ｃｍである請求項１記載の呼気採取バッグ。
【請求項３】
該延長突出部は、縦３〜１０ｃｍ、横３〜６ｃｍである請求項１又は２記載の呼気採取バッグ。
【請求項４】
該筒体の内径は、５〜２０ｍｍである請求項１乃至３のいずれか１項記載の呼気採取バッグ。
【請求項５】
該筒体の長さは、３〜１０ｃｍである請求項１乃至４のいずれか１項記載の呼気採取バッグ。
【請求項６】
該素材は、アルミニウムが蒸着又はラミネートされたプラスチックフィルムである請求項１乃至５のいずれか１項記載の呼気採取バッグ。
【発明の詳細な説明】
【技術分野】
【０００１】
本発明は、呼気採取バッグに関するものである。
【背景技術】
【０００２】
近時、人間の吐く息、即ち呼気を調べることによって、健康状態や罹患している病気等が分かるようになってきている。この呼気に含まれる、調べるべき成分は非常に微量であり、また水素のような小さい分子も多い。
【０００３】
このような微量成分の濃度を測るには、純粋に呼気だけを採取しなければならないことは言うまでもない。なぜならば、大気が混入するとそれだけ濃度が変化するためである。更に、人間の呼気は、必ずしも肺でガス交換した気体とは限らない。即ち、吸った空気が肺にまで達することなく、口や気道内で保持され、それが吐き出されると、その気体は肺でガス交換された気体でないため、種々の検査には使えないことはいうまでもない。
【０００４】
最も、検査に有効な気体は、終末呼気と呼ばれる最後に吐き出す呼気である。最初に吐き出される口や気道の気体は論外としても、それがなくなっても肺からの気体が出だしたとしても、まだ口や気道に残っていた気体が少し混ざっている気体が吐き出され、最後の気体がほぼ純粋に肺からの気体である。
【０００５】
このため、一定の量（少なくとも、口や気道の容量）は、検査に使用しないように、検査のときに医師又は検査員に指導される。方法としては、医師等が、そばで一定量の呼気を廃棄させ、最後の呼気を容器に取るように指導するのである。
【０００６】
被験者（自己の呼気の検査を受ける人）が検査室に居る場合は上記の方法でよいが、最近では、遠方に居る被験者がその呼気のみを送り、検査を依頼することが多くなってきている。
このような場合、上記のような専門家がそばに居ないため、肺からの呼気のみを袋に入れて送るように指導しても、被験者（老齢者が多い）では、完全に理解してその通りにすることは難しい。
【０００７】
そこで、種々の呼気採取バッグが考案され販売もされている。特許文献１に記載の呼気検査用バッグは、呼気を吹き込む開口部があるが肺からの呼気だけを採取する工夫はされていない。また、特許文献２は、吹込み口と排出口の２つの開口を有するもので、これも終末呼気がいつからでるか等は分からない。
【先行技術文献】
【特許文献】
【０００８】
【特許文献１】特開平９−２１５６７５号公報
【特許文献２】特開２０１４−１５７０３９号公報
【発明の概要】
【発明が解決しようとする課題】
【０００９】
そこで、本発明では、検査員がそばに居ない、一般の高齢者でも、簡単に終末呼気が採取できる呼気採取バッグを提供する。
【課題を解決するための手段】
【００１０】
以上のような状況に鑑み、本発明者は鋭意研究の結果本発明呼気採取バッグを完成したものであり、その特徴とするところは、アルミニウム製の素材のバッグであって、本体部と１つの延長突出部があり、その延長突出部は開口部であり、該開口部に筒体が着脱自在に挿入されたものであって、該筒体は呼気を吹き込んだときに音を発する笛部を有する点にある。
【００１１】
バッグとは、単に袋という意味であり気体が収容できればよい。その形状は自由である。
好ましくは、２枚のフィルムをあわせて、その周囲を接着又は融着するのがよい。この構造では、フィルムを２枚貼った構造であり、製造が容易で、保管も場所をとらない。
しかし、封筒でいう「マチ（襠）」のような部分を設けて容量を大きくしてもよい。
【００１２】
フィルムとしては、アルミ箔、アルミニウムを蒸着したプラスチックフィルム、アルミ箔とプラスチックフィルムをラミネートしたものその他すくなくともアルミニウムを用いたものであればよい。アルミニウムを用いた理由は、水素ガスのような小さい分子は、プラスチックフィルムでは透過してしまうためである。もし、水素が検査の対象であれば、その対象物は簡単に抜けてしまう。そうなると、ほとんど意味のない検査になる。
【００１３】
このバッグは、本体部と延長突出部とからなる。本体部の形状は、平面視四角形状がよい。長方形や正方形である。勿論、その他の形状、たとえば円形、多角形等でもよい。
サイズとしては、長方形（正方形を含む）の場合、限定はしないが、縦が１０〜２０ｃｍ、横１０〜２０ｃｍが好適である。人間の終末呼気として測定に必要な量は、数十ｍＬ〜３００ｍＬ程度であり、前記サイズであれば十分である。
【００１４】
延長突出部は、これも平面視四角形状がよい。勿論、他の形状でもよいことは本体部と同様である。サイズとしては、長方形（正方形を含む）の場合、限定はしないが、縦が３〜１０ｃｍ、横３〜６ｃｍが好適である。
【００１５】
この延長突出部が開口部である。即ち、延長突出部の先端が開口しているのである。この開口部に後述する筒体が挿入されるのである。    
【００１６】
筒体とは、基本的には、呼気を本体部に吹き込むためのものであり、延長突出部に着脱自在に挿入されている。
大きさ的には、これも限定はしないが、内径が５〜１５ｍｍ程度が好適であり、長さは３〜１０が好適である。
さらに、本発明のポイントでもあるが、この筒体は呼気を吹き込んだときに音を発する笛部を有するのである。勿論、一部が笛でも全体として笛であってもよい。
【００１７】
この音を発するのも、通常の方法で、通常の強さで息を吐いたときに音がなればよい。笛部は、音の出やすい笛を特別に設けても、単に孔を開けたようなものでもよい。
この筒体は、前後の開口以外に孔が必要である。この孔が笛部を兼ねてもよい。逆に、音の出るものであっても、前後の開口だけで、中間に孔の無いものは使用できない。この前後の開口以外の孔をここでは途中孔という。途中孔は指で押さえれば排出が止まるものである。
この途中孔のないもの、即ち、筒体の中で、笛になってその呼気は上記のバッグの中にだけ入り、外部に出る口のないものは本発明では使用できない。
【００１８】
次に本発明呼気採取バッグの使用方法について説明する。
まず、最初に筒体のみをとり、息をいっぱい吸い込み、それを笛のように吹いて完全に吐ききる。このときに、音を聞きながら、何秒間吐き続けたかを時計で確認しておく。ストップウォッチで厳密にしなくても時計の秒針で、大まかに測定すればよい。大人ならば、通常ならば、８〜１５秒程度である。勿論、年齢、その人の健康状態、肺関係の疾病の有無等によって大きく異なる。
とくに高齢や病人、小児の場合、自己で息をはきながら、その時間を時計で測ることは難しいため、付き添いの者や、家族が行うことになるが、その場合、いつから吹き始めて、いつ終わったかは、本人以外は分からない。しかし、本発明では音がでるため、家族等が明確に分かり、時間がはっきりとする。これが本発明の大きな特徴である。
【００１９】
そして、この時間を記憶して、最後の２秒程度を終末呼気と考えるのである。これも２秒に限らず、３秒でもよく、必要な呼気量で考えればよい。そして、最初に息を吐いた秒数から、例えば２秒を差し引いた秒数を覚えておく。例えば、１１秒で吐ききった場合、２秒が終末とすれば、９秒間が捨てる時間である。
【００２０】
次に、筒体を呼気採取バッグの延長突出部の開口部に挿入する。挿入する深さとしては、筒体の途中孔が延長突出部に入らないような深さである。なぜならば、この途中孔から呼気を外部に排出しなければならないためである。
そして、挿入した筒体の先端部より先で、延長突出部を指で押さえて、呼気がバッグに入らないようにする。これが、呼気を吹き込む状態である。
【００２１】
次に被験者は息を十分に吸い込み、そして息を吹き込んでいく。さきほどの９秒間は、そのままの状態で、呼気は途中孔から外部に排出されていく。９秒経過した時点で、延長突出部を押さえていた指を離し、途中孔を指で塞ぐ。そして、最後まで吹き込むのである。
最後まで吹き込んだあとで、また延長突出部を指で押さえ、筒体を抜く。そして、延長突出部を折り曲げるか、封止具で封止する。アルミ製品であるため、何回か折り返して接着テープで止めるだけでほとんど密閉できる。勿論、プラスチックの袋を封止するための開口部を挟み込む封止具（種々市販されている）のようなもので封止してもよい。また、熱を掛けて圧着出来る場合は、シーラーを使って封止しても良い。
バッグの中の圧は、通常大気より高いため、大気が入り込んで濃度が変ることはない。
【００２２】
このように封止したものを検査施設に送付すればよい。勿論、家族の者やその他の者が搬送してもよい。
【発明の効果】
【００２３】
本発明には以下のような効果がある。
（１）  吹き込むときに音が出るため、吹き込んでいる時間が容易に測定できる。
（２）  笛の孔を利用して呼気の排出が簡単である。
（３）  アルミ製の袋であり、気体の封止性が高い。
（４）  非常に簡単に終末呼気が採取できる。
【図面の簡単な説明】
【００２４】
【図１】本発明の呼気採取バッグの筒体を除いた平面図である。
【図２】筒体の１例を示す斜視図である。
【図３】本発明の呼気採取バッグの１例の平面図である。
【図４】本発明の呼気採取バッグの筒体を除いた他の例の斜視図である。
【発明を実施するための形態】
【００２５】
以下実施例に基づいて、本発明をより詳細に説明するが、実施例は１例であって、本発明をこれに限定するものではない。
図１は、本発明の呼気採取バッグ（筒体は除く）１の平面図である。本体部２と延長突出部３とから構成されている。材質はアルミ箔である。斜線部４は、２枚のアルミ箔を接着した部分である。延長突出部３の先端部５は開口である。
【００２６】
この例の大きさは、縦（Ｌ）が１４ｃｍ、横（Ｗ）が１２ｃｍ、Ｅ
が５ｃｍで、Ｄが４ｃｍである。勿論、検査の必要量によって、サイズは自由に変えればよい。
【００２７】
図２は、筒体６の１例を示す斜視図である。これはプラスチック製であり、比較的柔軟なものである。中央部に途中孔７が設けられている。この途中孔７だけでも音がでる場合もあるが、この例では、筒体６の中に別途笛（図示略）がはめ込まれている。
【００２８】
図３は、図１の延長突出部３に筒体６を挿入したところを示す平面図である。筒体６の途中孔７は、延長突出部３の外側に位置している。そして、延長突出部３の筒体６が挿入されていない部分８を指で押圧して呼気の流入を防止する。
流入防止を容易にするため、この部分の流路を少し狭くしてもよい。この例では延長突出部３が比較的短いがより長くしてもよい。
【００２９】
図４は、図１と同様のものであるが、底部にマチがあり、容量的に大きなものになっている。このようにすると縦、横のサイズは小さくできる。
【符号の説明】
【００３０】
１  本発明の呼気採取バッグ（筒体は除く）
２  本体部
３  延長突出部
４  斜線部
５  先端部
６  筒体
７  途中孔
８  筒体が挿入されていない部分
【図１】
2019200153.tif 000003
【図２】
2019200153.tif 000004
【図３】
2019200153.tif 000005
【図４】
2019200153.tif 000006